(57)【要約】【課題】光ディスクにおける識別情報を記録する領域に精度良く識別情報を記録して、同識別情報を記録する領域から正確に識別情報を再生することを可能にする。【解決手段】メディアＩＤ記録装置は、光ディスクＤＫの記録面に長尺状の光スポットを形成させる光ピックアップ２０と、同光ピックアップ２０を固定支持する支持台３２を備える。光ピックアップ２０は、楔状のスペーサ３３を介して支持台３２上に光ディスクＤＫの径方向に傾斜した状態で固定される。この場合、長尺状の光スポットにおける移動方向後ろ側の焦点位置を光ディスクの記録面に一致させるとともに移動方向前側の焦点位置を光ディスクの記録面からずらし、光スポットにおける光強度を移動方向後ろ側より移動方向前側を小さくする。このように規定された光スポットを用いて光ディスクＤＫにメディアＩＤの記録を行う。【選択図】  図１
2007035087.tif 000002
【特許請求の範囲】
【請求項１】
光ディスクを搭載して同光ディスクを回転させるターンテーブルと、
前記ターンテーブルに搭載した光ディスク上に同光ディスクの径方向に沿って長尺状の光スポットを形成するレーザ光源を有する光ピックアップと、
前記光ピックアップを、前記ターンテーブルに搭載した光ディスクの径方向に同光ディスクに対して相対的に移動させる径方向移動手段と、
前記レーザ光源によるレーザ光の出射を制御するとともに、前記径方向移動手段による光ピックアップの相対移動を制御して、前記長尺状の光スポットの長手方向端部を重ねながら識別情報を光ディスクに記録する識別情報記録手段とを備えた光ディスクのための識別情報記録装置において、
光ディスク上に形成される前記長尺状の光スポットの光強度分布における前記光ピックアップの移動方向後ろ側の光強度より移動方向前側の光強度を低く規定する光強度分布規定手段を設けたことを特徴とする光ディスクのための識別情報記録装置。
【請求項２】
請求項１に記載の光ディスクのための識別情報記録装置において、
前記光強度分布規定手段を、
前記レーザ光源から出射されるレーザ光の光軸を光ディスクの記録面に対して同光ディスクの径方向に傾斜させる光軸傾斜手段で構成した光ディスクのための識別情報記録装置。
【請求項３】
請求項２に記載の光ディスクのための識別情報記録装置において、
前記光軸傾斜手段を、前記レーザ光源から出射されるレーザ光の光軸を、光ディスクの記録面の垂直方向に対して０．５°〜２．０°傾ける光軸傾斜調整手段で構成した光ディスクのための識別情報記録装置。
【請求項４】
請求項２または請求項３に記載の光ディスクのための識別情報記録装置において、
前記光軸傾斜手段を、前記光ピックアップを光ディスクの径方向に傾斜させる光ピックアップ傾斜手段で構成した光ディスクのための識別情報記録装置。
【請求項５】
光ディスクを搭載して同光ディスクを回転させるターンテーブルと、
前記ターンテーブルに搭載した光ディスク上に同光ディスクの径方向に沿って長尺状の光スポットを形成するレーザ光源を有する光ピックアップと、
前記光ピックアップを、前記ターンテーブルに搭載した光ディスクの径方向に同光ディスクに対して相対的に移動させる径方向移動手段とを備えた光ディスクのための識別情報記録装置に適用され、
前記レーザ光源によるレーザ光の出射を制御するとともに、前記径方向移動手段による光ピックアップの相対移動を制御して、前記長尺状の光スポットの長手方向端部を重ねながら識別情報を光ディスクに記録する光ディスクのための識別情報記録方法において、
光ディスク上に形成される前記長尺状の光スポットの光強度分布における前記光ピックアップの移動方向後ろ側の光強度より移動方向前側の光強度を低く規定したことを特徴とする光ディスクのための識別情報記録方法。
【請求項６】
請求項５に記載の光ディスクのための識別情報記録方法において、
光ディスク上に形成される前記長尺状の光スポットの光強度分布を、前記レーザ光源から出射されるレーザ光の光軸を光ディスクの記録面に対して同光ディスクの径方向に相対的に傾斜させることにより、前記光ピックアップの移動方向後ろ側の光強度より移動方向前側の光強度を低くした光ディスクのための識別情報記録方法。
【請求項７】
請求項６に記載の光ディスクのための識別情報記録方法において、
前記レーザ光源から出射されるレーザ光の光軸を、光ディスクの記録面の垂直方向に対して０．５°〜２．０°傾けるようにした光ディスクのための識別情報記録方法。
【請求項８】
請求項６または請求項７に記載の光ディスクのための識別情報記録方法において、
前記光ピックアップを光ディスクの径方向に傾斜させた光ディスクのための識別情報記録方法。
【発明の詳細な説明】
【技術分野】
【０００１】
本発明は、Blu-ray Disk，ＨＤ−ＤＶＤなどの光ディスク上に各々の光ディスクを他の光ディスクと識別するための識別情報を記録する光ディスクのための識別情報記録装置および識別情報記録方法に関する。
【背景技術】
【０００２】
従来から、Blu-ray Disk，ＨＤ−ＤＶＤなどの光ディスクには、光ディスクを製造保管または流通販売において管理する目的で光ディスクごとに固有の識別情報（メディアＩＤ）が記録されている。この識別情報は、一般に光ディスクの最内周部に形成されたＢＣＡ(Burst Cutting Area)またはＮＢＣＡ(Narrow Burst Cutting Area)にバーコードによって表されて記録されている。
【０００３】
この識別情報の記録は、光ディスクのＢＣＡ（またはＮＢＣＡ）に光ディスクの径方向に沿って長尺状の光スポットを形成し、同光ディスク上に形成されている反射層を溶融除去することによって行われる。例えば、下記特許文献１に記載の識別情報記録装置においては、図９（Ａ）に示すように、光ディスクに対して垂直方向からレーザ光を照射して同光ディスク上に長尺状の光スポットを形成し、同光スポットを光ディスクの内側から外側に向けて光スポットの長手方向端部を重ねながら移動させて光ディスクのＢＣＡ（またはＮＢＣＡ）にバーコードによって表された識別情報を記録している。この場合、図９（Ｂ）に示すように、長尺状の光スポットにおける光強度分布は、同光スポットの移動方向前側の光強度を後ろ側の光強度より高く規定している。これは、光スポットの移動方向前側における光強度を高くすることによって、同移動方向前側部分に生じやすい反射層の半溶融物や溶融残留物の発生を防止して精度よくバーコードを記録するためである。
【特許文献１】特開２００５−１１４３５号公報
【０００４】
しかしながら、本発明者が前記した光スポットの光強度分布により光ディスクにバーコードを記録する実験を行った結果、光ディスクの径方向に縞が生じ精度良くバーコードを記録することができなかった。この実験結果について推測すると、光スポットが形成される光ディスクの反射層は、光スポットの熱により溶融し同光スポットの周囲に除去される。この場合、図１０（Ａ）に示すように、光スポットの移動方向前側の光強度が高いため、同移動方向前側における光ディスクの反射層は急速に溶融して表面張力により上方に大きく盛り上がり、冷却した後は盛り上がった固体状の箇所が残る。そして、図１０（Ｂ）に示すように、光スポットが光ディスクの外側に移動して同光スポットの移動方向後ろ側の一部が前記盛り上がった固体状の箇所に形成されるが、同移動方向後ろ側の光強度は低いため、同盛り上がった固体状の箇所が完全に溶融除去されない状態で残る。
【０００５】
このため、光ディスクのＢＣＡ（またはＮＢＣＡ）に光ディスクの周方向に沿って盛り上がった固体状の箇所が溶融残留物として残り、同溶融残留物が光ディスクの径方向に沿って縞状に現れる。これにより、光ディスクのＢＣＡ（またはＮＢＣＡ）から読み出される信号の再生精度が悪化し、ＢＣＡ（またはＮＢＣＡ）に記録された識別情報を正確に再生できないという問題がある。
【発明の開示】
【０００６】
本発明は上記問題に対処するためなされたもので、その目的は、光ディスクにおける識別情報を記録する領域に精度良く識別情報を記録して、同識別情報を記録する領域から正確に識別情報を再生することが可能な光ディスクのための識別情報記録装置および識別情報記録方法を提供することにある。
【０００７】
上記目的を達成するため、本発明の特徴は、光ディスクを搭載して同光ディスクを回転させるターンテーブルと、ターンテーブルに搭載した光ディスク上に同光ディスクの径方向に沿って長尺状の光スポットを形成するレーザ光源を有する光ピックアップと、光ピックアップを、ターンテーブルに搭載した光ディスクの径方向に同光ディスクに対して相対的に移動させる径方向移動手段と、レーザ光源によるレーザ光の出射を制御するとともに、径方向移動手段による光ピックアップの相対移動を制御して、前記長尺状の光スポットの長手方向端部を重ねながら識別情報を光ディスクに記録する識別情報記録手段とを備えた光ディスクのための識別情報記録装置において、光ディスク上に形成される前記長尺状の光スポットの光強度分布における光ピックアップの移動方向後ろ側の光強度より移動方向前側の光強度を低く規定する光強度分布規定手段を設けたことにある。
【０００８】
このように構成した本発明の特徴によれば、光ディスクの記録面に形成される長尺状の光スポットの光強度分布を、光強度変更手段により光ピックアップの移動方向後ろ側の光強度より移動方向前側の光強度を低く規定している。このため、光スポットの移動方向前側における光ディスクの記録面上の反射層は徐々に熱せられ溶融する反射層の量は少なく、盛り上がった固体状の箇所は大きくならない。そして、光スポットの位置が移動して前記盛り上がった固体状の箇所上に光スポットにおける光強度が高い領域が位置することにより、同盛り上がった固体状の箇所は溶融する。この場合、溶融した反射層は表面張力により光スポットの周囲に除去される。これにより、光ディスクの識別情報を記録する領域に光ディスクの周方向に沿って盛り上がった固体状の箇所が溶融残留物として残ることがない。この結果、光ディスクの識別情報を記録する領域から読み出される信号の再生精度が良好になり、識別情報を記録する領域に記録された識別情報を正確に再生できる。
【０００９】
また、本発明の他の特徴は、前記光強度分布規定手段を、レーザ光源から出射されるレーザ光の光軸を光ディスクの記録面に対して同光ディスクの径方向に傾斜させる光軸傾斜手段で構成したことにある。この場合、前記光軸傾斜手段を、前記レーザ光源から出射されるレーザ光の光軸を、光ディスクの記録面の垂直方向に対して０．５°〜２．０°傾ける光軸傾斜調整手段で構成するとよい。これによれば、光ディスクの記録面上に長尺状に形成される光スポットの長手方向の一方の焦点位置が同記録面からずれ、同焦点位置がずれた長手方向の一方の光スポットの光強度が長手方向の他方の光強度に比べて低くなる。したがって、レーザ光の光軸を光ディスクの径方向のいずれか一方に傾斜させてレーザ光の光強度を光ピックアップの移動方向後ろ側より移動方向前側を低く規定すれば、前記と同様の効果が期待できる。
【００１０】
また、この場合、前記光軸傾斜手段を、光ピックアップを光ディスクの径方向に傾斜させる光ピックアップ傾斜手段で構成するとよい。この場合、例えば、光ピックアップ傾斜手段を、楔状のスペーサとし、同スペーサを光ピックアップと識別情報記録装置における光ピックアップを固定支持する支持台との間に介装して光ピックアップを光ディスクの径方向に傾斜させるようにしてもよい。これによれば、簡単な構成でレーザ光源から出射されるレーザ光の光軸を光ディスクの記録面に対して同光ディスクの径方向に傾斜させることができ、上記と同様の効果が期待できる。
【００１１】
また、本発明は装置の発明として実施できるばかりでなく、方法の発明としても実施できるものである。
【発明を実施するための最良の形態】
【００１２】
以下、本発明に係る識別情報記録装置の一実施形態について図面を参照しながら説明する。図１は、Blu-ray Disk，ＨＤ−ＤＶＤなどの光ディスクＤＫにメディアＩＤを記録するメディアＩＤ記録装置の全体概略図である。メディアＩＤとは、光ディスクを製造保管または流通販売において管理するために、光ディスクごとに設定され記録される識別情報である。このメディアＩＤは、図２（Ａ）に示すように、光ディスクＤＫの記録領域１の内周側に所定の幅を有して環状に形成されたＢＣＡ(Burst Cutting Area)２（またはＮＢＣＡ(Narrow Burst Cutting Area)）にバーコード３によって表されて記録される。このメディアＩＤ記録装置は、光ディスクＤＫを回転駆動する回転駆動装置１０と光ディスクＤＫにレーザ光を照射するとともに同照射による光ディスクＤＫからの反射光を受光する光ピックアップ２０とを備えている。
【００１３】
回転駆動装置１０は、スピンドルモータ１１およびフィードモータ１２を備えている。スピンドルモータ１１は、その回転により回転軸１１ｂを回転させてターンテーブル１３を回転させる。ターンテーブル１３には、その上面に光ディスクＤＫが着脱可能に組み付けられるようになっている。また、スピンドルモータ１１内には、エンコーダ１１ａが組み込まれており、エンコーダ１１ａは、スピンドルモータ１１の回転を検出して同回転を表す回転検出信号をコントローラ６０に出力する。この回転検出信号は、ターンテーブル１３（光ディスクＤＫ）の回転位置が一つの基準回転位置に来るごとに発生されるインデックス信号INDEXと、所定の微小な回転角度ずつハイレベルとローレベルを繰返すパルス列信号とからなるとともに互いにπ／２だけ位相のずれたＡ相信号φAおよびＢ相信号φBとからなる。これらの回転検出信号のうち、インデックス信号INDEXは、コントローラ６０にてスピンドルモータ１１、すなわち光ディスクＤＫの回転数（例えば１回転）の検出に用いられ、パルス列信号φA，φBはスピンドルモータ制御回路１４にてスピンドルモータ１１すなわち光ディスクＤＫの回転速度の検出に用いられる。
【００１４】
スピンドルモータ１１の回転は、スピンドルモータ制御回路１４によって制御される。スピンドルモータ制御回路１４は、後述するコントローラ６０によって制御されて、前記エンコーダ１１ａから供給される回転検出信号を用いて、光ディスクＤＫが常に線速度一定で回転するようにスピンドルモータ１１の回転を制御する。フィードモータ１２は、その回転によりスクリューロッド１５およびナット（図示せず）からなるねじ送り機構を介してスピンドルモータ１１、同スピンドルモータ１１を固定支持する支持部材１６およびターンテーブル１３を光ディスクＤＫの径方向に変位させる。
【００１５】
フィードモータ１２内にも、エンコーダ１２ａが組み込まれている。このエンコーダ１２ａは、前記エンコーダ１１ａと同様に構成されておりフィードモータ１１の回転を検出して同回転を表す回転検出信号をフィードモータ制御回路１７およびコントローラ６０に出力する。フィードモータ制御回路１７は、コントローラ６０からの指示により、エンコーダ１２ａから出力される回転検出信号を用いてフィードモータ１２の回転を制御して、スピンドルモータ１１、ターンテーブル１３および支持部材１６の光ディスクＤＫの径方向への変位を制御する。
【００１６】
光ピックアップ２０は、Blu-ray Disk，ＨＤ−ＤＶＤなどの光ディスクＤＫにレーザ光を照射してメディアＩＤを記録する光学装置であり、ケーシング２０ａにそれぞれ組み付けられたレーザ光源２１、コリメートレンズ２２、立上ミラー２３、偏光ビームスプリッタ２４、１／４波長板２５、対物レンズ２６、凸レンズ２７、ナイフエッジ２８、フォトディテクタ２９およびフォーカスアクチュエータ３１などから構成されている。これらのうち、特に、レーザ光源２１は、光ディスクＤＫにメディアＩＤを記録するための記録用のレーザ光（出射パワーの高いレーザ光）を出射して光ディスクＤＫの径方向に沿って長尺状の光スポットを形成する。また、フォーカスアクチュエータ３１は、対物レンズ２６をレーザ光の光軸方向（光ディスクＤＫの盤面と垂直方向）に駆動して、光スポットが光ディスクＤＫの表面を追従するように光スポットを光軸方向に微動させる。
【００１７】
この光ピックアップ２０は、レーザ光源２１から出射される記録用のレーザ光を、コリメートレンズ２２、立上ミラー２３、偏光ビームスプリッタ２４、１／４波長板２５および対物レンズ２６を介して光ディスクＤＫの記録面上に集光させ、同光ディスクＤＫの径方向に長尺状の光スポットを形成する。また、光ディスクＤＫに形成された長尺状の光スポットからの反射光は、対物レンズ２６、１／４波長板２５、偏光ビームスプリッタ２４、凸レンズ２７およびナイフエッジ２８を介して、フォトディテクタ２９に導かれて受光される。フォトディテクタ２９は、分割線で区切られた２つの同一長方形状の受光素子からなる２分割受光素子によって構成されており、各受光素子は受光量に比例した検出信号Ａ，Ｂをそれぞれ受光信号として出力する。なお、これらの凸レンズ２７、ナイフエッジ２８およびフォトディテクタ２９は、ナイフエッジ法によるフォーカスエラー信号の生成のための光学系を構成する。
【００１８】
この光ピックアップ２０は、ターンテーブル１３上に載置される光ディスクＤＫの記録面に平行な上面を有する支持台３２上にスペーサ３３を介して固定される。支持台３２は、メディアＩＤ記録装置内において光ディスクＤＫに対向する位置に設けられており、レーザ光源２１から出射され対物レンズ２６を介して光ディスクＤＫの記録面上に導かれるレーザ光の光軸が、同光ディスクＤＫの記録面に対して垂直となるように光ピックアップ２０を固定支持するように調整されている。スペーサ３３は、楔状に形成されており光ピックアップ２０と支持台３２との間に介装されて支持台３２上に固定される光ピックアップ２０を光ディスクＤＫの径方向に傾斜させる。本実施形態においては、光ピックアップ２０を支持台３２の上面に対して１．０°だけ光ディスクＤＫの内周側（図示左側）に傾斜させる。したがって、図３（Ａ）に示すように、光ピックアップ２０から出射されるレーザ光の光軸は、光ディスクＤＫの記録面の垂直方向に対して１．０°だけ同光ディスクＤＫの径方向内周側（図示左側）に傾斜する。これにより、光ディスクＤＫの記録面上に形成される光スポットの形状は光ディスクＤＫの径方向外周側に向かって拡がった長尺状の形状となる。
【００１９】
これは、図３（Ｂ）に示すように、光ディスクＤＫの記録面上に形成される光スポットにおける光強度分布を、光スポットにおける光ディスクＤＫの径方向外周側の光強度を同光ディスクＤＫの径方向内周側の光強度より小さくするためである。すなわち、光ピックアップ２０を傾斜させてレーザ光源２１から出射されるレーザ光の光軸を傾斜させることによって、光スポットにおける光ディスクＤＫの径方向内周側の焦点位置を光ディスクＤＫの記録面に一致させるとともに、同光スポットにおける光ディスクＤＫの径方向外周側の焦点位置を光ディスクＤＫの記録面からずらしている。これにより、光スポットにおける光ディスクＤＫの径方向外周側の光強度は同光ディスクＤＫの径方向内周側の光強度より小さくなる。なお、図１および図３(Ａ)(Ｂ)は、レーザ光の光軸が傾斜している状態を明確にするため対物レンズ２６、スペーサ３３および光ピックアップ２０の傾斜状態を誇張して示している。また、この光ピックアップ２０は、支持台３２上に図示しない螺子により固定される。
【００２０】
フォトディテクタ２９には、ＨＦ信号増幅回路４１が接続されている。ＨＦ信号増幅回路４１は、フォトディテクタ２９から出力された検出信号Ａ，Ｂをそれぞれ増幅して、フォーカスエラー信号生成回路４２に出力する。フォーカスエラー信号生成回路４２は、ＨＦ信号増幅回路４１を介してフォトディテクタ２９から出力される検出信号Ａ，Ｂを用い
てナイフエッジ法によりフォーカスエラー信号を生成して、フォーカスサーボ回路４３に出力する。フォーカスサーボ回路４３は、フォーカスエラー信号に基づいてフォーカスサーボ信号を生成し、同フォーカスサーボ信号を用いてドライブ回路４４を介してフォーカスアクチュエータ３１を駆動制御することにより、対物レンズ２６を光軸方向に変位させてフォーカスサーボ制御する。これにより、レーザ光の焦点、すなわち光スポットが光ディスクＤＫの表面を追従するように制御される。
【００２１】
光ピックアップ２０のレーザ光源２１には、レーザ光源２１を駆動するためのレーザ駆動回路５１が接続されている。レーザ駆動回路５１は、コントローラ６０の指令に応じてレーザ光源２１を駆動させ、レーザ光源２１から記録用のレーザ光を出射させる。また、レーザ駆動回路５１は、記録用信号生成回路５２から出力される記録用信号に基づいてレーザ光源２１をオン・オフ動作させる。記録用信号生成回路５２は、コントローラ６０の指示に応じて光ディスクＤＫにメディアＩＤを記録するための記録用信号を生成してレーザ駆動回路５１に出力する。具体的には、記録用信号生成回路５２は、データ変換回路５３から出力されるバーコードデータを一時的に記憶し、コントローラ６０の指示に応じて同記憶したバーコードデータをクロック信号発生回路５４から出力されるクロック信号を用いて変調して記録用信号を生成する。
【００２２】
バーコードデータは、メディアＩＤをバーコードによって表すためのデータであり、図２（Ｂ）に示すバーコード３におけるバー部３ａおよびバー部３ａとバー部３ａとの間のスペース部３ｂの各配列状態を表すデータである。したがって、記録用信号生成回路５２は、バーコードデータをバーコードにおけるバー部３ａおよびスペース部３ｂを形成するために必要なパルス長（例えば、バー部３ａをクロック信号の１０パルス、バー部３ａとスペース部３ｂとの合計をクロック信号の３１パルスの整数倍）からなるパルス列信号に変調して記録用信号を生成する。
【００２３】
データ変換回路５３は、コントローラ６０から出力される光ディスクＤＫごとに設定されるメディアＩＤを表す信号を、同信号に対応するバーコードデータに変換して記録用信号生成回路５２に出力する。また、クロック信号発生回路５４は、エンコーダ１１ａから出力される回転検出信号を用いて、記録用信号生成回路５２による記録用信号の生成の基準となるクロック信号（例えば、１４４０００パルス／周）を生成して記録用信号生成回路５２に出力する。
【００２４】
コントローラ６０は、ＣＰＵ、ＲＯＭ、ＲＡＭ、ハードディスクなどからなるマイクロコンピュータによって構成されており、キーボード、マウスなどからなる入力装置６１からの指示に従って図示しないプログラムを実行することによりメディアＩＤの記録を行うとともに、同プログラムの実行過程および実行結果を、ＣＲＴ（または液晶ディスプレイ）、プリンタなどからなる出力装置６２に適宜表示させる。このコントローラ６０には、スピンドルモータ制御回路１４、フィードモータ制御回路１７、レーザ駆動回路５１、記録用信号生成回路５２およびデータ変換回路５３が、それぞれの作動制御のために接続されている。
【００２５】
上記のように構成した実施形態の作動について説明する。作業者は、図示しない電源スイッチの投入により、コントローラ６０を含むメディアＩＤ記録装置の各種回路の作動を開始させる。そして、メディアＩＤの記録対象となる光ディスクＤＫをターンテーブル１３の上に載せて、同光ディスクＤＫをターンテーブル１３上に固定する。次に、作業者は、入力装置６１を操作してメディアＩＤの記録をコントローラ６０に指示する。このメディアＩＤの記録の指示に際して作業者は、入力装置６１を介して光ディスクＤＫに記録するメディアＩＤをコントローラ６０に指示する。このメディアＩＤの記録の指示に応答してコントローラ６０は、メディアＩＤの記録に関する図示しないプログラムを実行することにより光ディスクＤＫにメディアＩＤの記録を開始する。なお、本実施形態に係る光ディスクＤＫの記録面に形成されている反射層は、銀合金により構成されているが、他の材質、例えばアルミニウム合金などにより構成されていてもよい。
【００２６】
まず、コントローラ６０は、光ディスクＤＫ上におけるメディアＩＤ記録開始位置に光ピックアップ２０を位置決めする。このメディアＩＤ記録開始位置は、光ディスクＤＫの種類ごとに規格化された位置であり、本実施形態においては、光ディスクＤＫの最内周部に形成されたＢＣＡ(Burst Cutting Area)内における最内周側の径方向位置が予めコントローラ６０に設定されている。したがって、コントローラ６０は、光ディスクＤＫ上に設けられたＢＣＡ内における最内周側の径方向位置をフィードモータ制御回路１７に指示する。この指示に応答して、フィードモータ制御回路１７は、フィードモータ１２の回転を制御して、光ディスクＤＫを同径方向位置に位置決めする。これにより、同ＢＣＡ上における最内周側の径方向位置に光ピックアップ２０の光軸、すなわち、対物レンズ２６を介して形成される光スポットが位置するように光ディスクＤＫが位置決めされる。
【００２７】
次に、コントローラ６０は、作業者により入力されたメディアＩＤを表す信号をデータ変換回路５３に出力する。データ変換回路５３は、メディアＩＤを表す信号を、同メディアＩＤに対応するバーコードデータに変換して記録用信号生成回路５２に出力する。記録用信号生成回路５２は、データ変換回路５３から出力されたバーコードデータを記憶する。また、コントローラ６０は、スピンドルモータ制御回路１４の作動を開始させて光ディスクＤＫを一定の線速度で回転させる。この場合、コントローラ６０は、スピンドルモータ制御回路１４に対してメディアＩＤ記録用の回転数（例えばBlu-ray Disk，ＨＤ−ＤＶＤでは、３００〜３０００ｒｐｍ）を指示する。
【００２８】
次に、コントローラ６０は、光ディスクＤＫにメディアＩＤの記録を開始させる。この場合、コントローラ６０は、スピンドルモータ１１のエンコーダ１１ａから出力されるインデックス信号INDEXに同期してフィードモータ制御回路１７、レーザ駆動回路５１および記録用信号生成回路５２にそれぞれ作動を指示する。具体的には、コントローラ６０は、フィードモータ制御回路１７に対して、移動方向および移動速度をそれぞれ指示する。この指示に応答してフィードモータ制御回路１７は、指示された移動方向に指示された移動速度で光スポットが移動するようにフィードモータ１２の回転を制御する。この場合、コントローラ６０は、図４に示すように、光ディスクＤＫ上に形成される長尺状の光スポットの光ディスクＤＫの径方向内周側の一部、換言すれば、光スポットの長手方向後端部を、既に形成されたバーコード３のバー部３ａの前端部に重なるように移動させる。したがって、コントローラ６０は、光スポットの長手方向の長さと同光スポットの長手方向後端部の重なり量との差を光ディスクＤＫの回転の周期で除して移動速度を計算する。この光スポットの長手方向の長さおよび同光スポットの長手方向後端部の重なり量は、作業者により予めコントローラ６０に設定される。また、光ディスクＤＫの回転の周期は、作業者により予めコントローラ６０に設定される光ディスクＤＫの回転数の逆数である。
【００２９】
また、コントローラ６０は、記録用信号生成回路５２に対して、記録用信号の生成を指示する。この指示に応答して記録用信号生成回路５２は、記憶しているバーコードデータをクロック信号発生回路５４から出力されるクロック信号に同期させて記録用信号を生成するとともに、同記録用信号を記録用レーザ駆動回路５１に出力する。さらに、コントローラ６０は、記録用レーザ駆動回路５１に対してレーザ光源２１からレーザ光の出射を指示する。この場合、記録用レーザ駆動回路５１には、記録用信号生成回路５２から記録用信号が出力されており、記録用レーザ駆動回路５１は同記録用信号に応じてレーザ光源２１をオン・オフ動作させる。これにより、光ディスクＤＫのＢＣＡ内における記録開始径方向位置からメディアＩＤの記録が開始される。
【００３０】
この場合、図５（Ａ）に示すように、光ディスクＤＫの記録面に形成される光スポットは、光スポットの移動方向後ろ側から移動方向前側に向かって拡がった形状に形成され、同光スポットにおける移動方向前側の光強度が移動方向後ろ側の光強度より小さくなっている。これにより、光スポットが形成された記録面における同光スポットの移動方向前側の反射層は徐々に熱せられ溶融する反射層の量が少なく、盛り上がった固体状の箇所は大きくならない。そして、図５（Ｂ）に示すように、光ディスクＤＫが１回転して光スポットが光ディスクＤＫの外周側に移動することによって、前記盛り上がった固体状の箇所上には光スポットにおける光強度の高い領域が位置するようになる。これにより、前記盛り上がった固体状の箇所は溶融するとともに同溶融した反射層の表面張力により光スポットの周囲に除去される。そして、図４に示すように、光ディスクＤＫの回転（図示矢印方向）に応じて光スポットの位置が光ディスクＤＫの径方向外周側に向けて移動しながら同光ディスクＤＫのＢＣＡにバーコード３が記録される。
【００３１】
具体的には、光ディスクＤＫのＢＣＡ内における記録開始径方向位置から光ディスクＤＫの周方向に所定の幅（例えば、バー部３ａをクロック信号の１０パルス、バー部３ａとスペース部３ｂとの合計をクロック信号の３１パルスの整数倍）のバー部３ａおよびスペース部３ｂからなるバーコード３が記録される。そして、光ディスクＤＫの１回転で光スポットの長手方向の長さに対応する長さのバー部３ａが光ディスクＤＫの径方向に放射状に形成される。この場合、光ディスクＤＫの１回転ごとに、光スポットの移動方向後端部が既に形成されたバーコード３のバー部３ａの前端部に前記重なり量分だけ重なるように光スポットが移動する。そして、再び前記所定の幅のバー部３ａおよびスペース部３ｂからなる同一パターンのバーコード３がＢＣＡに記録される。なお、図４において、矢印は光ディスクＤＫの回転方向を示しており、上側のバー部３ａから下側のバー部３ａに向かって光スポットが移動して前記所定の幅のバー部３ａおよびスペース部３ｂからなるパターンのバーコード３が光ディスクＤＫの径方向に沿って順次形成される。
【００３２】
この光ディスクＤＫに対するメディアＩＤの記録時において、レーザ光源２１から出射されたレーザ光は、光ディスクＤＫで反射された後、フォトディテクタ２９によって受光される。フォトディテクタ２９にて受光されたレーザ光は、受光光量に対応する検出信号Ａ，Ｂに変換されてＨＦ信号増幅回路４１に出力され、フォーカスエラー信号生成回路４２、フォーカスサーボ回路４３およびドライブ回路４４による対物レンズ２６のフォーカスサーボ制御に用いられる。
【００３３】
コントローラ６０は、フィードモータ１２のエンコーダ１２ａから出力される回転検出信号を用いて光スポットが形成される光ディスクＤＫ上の径方向位置を計算し、同径方向位置がメディアＩＤの記録終了位置に達するまでメディアＩＤの記録処理を行う。この場合、メディアＩＤ記録終了位置も、前記メディアＩＤ記録開始位置と同様に光ディスクＤＫの種類ごとに規格化された位置であり、本実施形態においては、光ディスクＤＫの最内周部に形成されたＢＣＡ(Burst Cutting Area)内における最外周側の径方向位置が予めコントローラ６０に設定されている。そして、コントローラ６０は、光スポットが形成される光ディスクＤＫ上の径方向位置が、同記録終了位置に達した場合には、各種回路の作動を停止させる。具体的には、スピンドルモータ制御回路１４の作動を停止させて光ディスクＤＫの回転を停止させるとともに、フィードモータ制御回路１７の作動を停止させて光ディスクＤＫのフィードサーボ制御を停止させる。また、記録用信号生成回路５２に記録用信号の生成を停止させるとともに、記録用レーザ駆動回路５１の作動を停止させてレーザ光源２１からのレーザ光の出射を停止させる。これにより、光ディスクＤＫのＢＣＡ内にバーコードによって表されたメディアＩＤが記録される。
【００３４】
次に、作業者は、メディアＩＤが記録された光ディスクＤＫをターンテーブル１３上から取り外す。これにより、メディアＩＤの記録作業が終了する。また、他の光ディスクＤＫにメディアＩＤを記録する場合には、ターンテーブル１３上に新たな光ディスクＤＫを載置固定して、前記と同様にして新たな光ディスクＤＫにメディアＩＤの記録を行う。
【００３５】
上記作動説明からも理解できるように、上記実施形態によれば、光ディスクＤＫのＢＣＡにメディアＩＤを記録する際、光ディスクＤＫの記録面に形成される長尺状の光スポットの光強度分布を、光スポットの移動方向後ろ側より移動方向前側を低くなるようにしている。このため、光スポットの移動方向前側における光ディスクＤＫの記録面上の反射層は徐々に熱せられ溶融する反射層の量は少なく、盛り上がった固体状の箇所は大きくならない。そして、光スポットの位置が移動して前記熱せられた反射層上に光強度が高い光スポットが形成されると、同盛り上がった固体状の箇所は溶融するとともに同溶融した反射層の表面張力により光スポットの周囲に除去される。これにより、光ディスクＤＫのＢＣＡに盛り上がった固体状の箇所が溶融残留物として残ることがない。この結果、光ディスクＤＫのＢＣＡから読み出される信号の再生精度が良好になり、同ＢＣＡに記録されたメディアＩＤを正確に再生することができる。
【００３６】
すなわち、図６（Ａ），図７（Ａ）に示すように、レーザ光源２１から出射されるレーザ光の光軸を傾けない（傾斜角０°）場合、バー部３ａ内に溶融残留物が生成され同溶融残留物上を再生用の光スポットが通過することにより再生信号におけるローレベル信号は不安定となる。ここで図７（Ａ）は、レーザ光源２１から出射されるレーザ光の光軸を傾けない（傾斜角０°）場合における実際のローレベル信号を複数重ねてオシロスコープに表示させた波形図を示している。この図７（Ａ）に示すローレベル信号では、ローレベル信号のボトム付近で振幅が乱れ不安定な波形となっている。
【００３７】
一方、図６（Ｂ）に示すように、レーザ光源２１から出射されるレーザ光の光軸を光ディスクＤＫの記録面の垂直方向に対して０．５°傾けた場合、バー部３ａ内に生成される溶融残留物の量は少なくなり、同溶融残留物上を光スポットが通過して再生される再生信号のローレベル信号は安定する。さらに、図６（Ｃ），図７（Ｂ）に示すように、レーザ光源２１から出射されるレーザ光の光軸を光ディスクＤＫの記録面の垂直方向に対して１．０°傾けた場合、バー部３ａ内には溶融残留物が生成されなくなり、同溶融残留物上を光スポットが通過して再生される再生信号のローレベル信号はさらに安定する。ここで図７（Ｂ）は、レーザ光源２１から出射されるレーザ光の光軸を光ディスクＤＫの記録面の垂直方向に対して１．０°傾けた場合における実際のローレベル信号を複数重ねてオシロスコープに表示させた波形図を示している。この図７（Ｂ）に示すローレベル信号おいては、図７（Ａ）に示すローレベル信号に比べてローレベル信号のボトム付近での振幅の乱れが小さく比較的安定した波形となっている。これらにより、光ディスクＤＫのＢＣＡに記録されたメディアＩＤを正確に再生することができる。
【００３８】
また、前記光スポットにおける移動方向前側の光強度を移動方向後ろ側の光強度より小さくするために、光ピックアップ２０を光ディスクＤＫの径方向内周側に傾斜させている。これにより、簡単な構成でレーザ光源２１から出射されるレーザ光の光軸を光ディスクＤＫの記録面に対して傾斜させることができ、光スポットにおける移動方向前側の光強度を移動方向後ろ側の光強度より小さくすることができる。
【００３９】
さらに、本発明の実施にあたっては、上記実施形態に限定されるものではなく、本発明の目的を逸脱しない限りにおいて種々の変更が可能である。
【００４０】
上記実施形態においては、スペーサ３３を用いて光ピックアップ２０を光ディスクＤＫの径方向内周側（図示左側）に傾斜させたが、光スポットにおける移動方向前側の光強度を移動方向後ろ側の光強度より小さく規定できれば、これに限定されるものではない。すなわち、スペーサ３３を用いて光ピックアップ２０を光ディスクＤＫの径方向外周側（図示右側）に傾斜させてもよい。この場合、光スポットにおける光ディスクＤＫの径方向内周側の焦点位置を光ディスクＤＫの記録面に一致させるとともに、同光スポットにおける光ディスクＤＫの径方向外周側の焦点位置を光ディスクＤＫの記録面からずらすようにフォーカスサーボ制御を行う。これによっても、上記実施形態と同様の効果が期待できる。
【００４１】
また、上記実施形態においては、レーザ光源２１から出射されるレーザ光の光軸を傾斜させるために、スペーサ３３を介して光ピックアップ２０を支持台３２上に固定するように構成したが、同レーザ光の光軸を傾斜させることができれば、これに限定されるものではない。例えば、支持台３２の上面または支持台３２自体を傾斜させてメディアＩＤ記録装置内に設け、同傾斜させた支持台３２の上面に直接光ピックアップ２０を固定するように構成してもよい。また、支持台３２の上面の角度を所定の範囲内で任意に設定できる支持台（例えばゴニオステージ、傾斜ステージ、チルトステージ）で構成してもよい。この場合、支持台３２の上面の角度の調整は、作業者により手動で行ってもよいし、支持台３２の上面の角度を変更する調整機構に電動モータを設け、コントローラ６０により同電動モータの回転を制御して支持台３２の上面の角度の調整を行うようにしてもよい。
【００４２】
また、上記実施形態においては、レーザ光源２１から出射されるレーザ光の光軸を光ディスクＤＫの記録面の垂直方向に対して１．０°だけ傾斜させるように構成したが、光スポットにおける移動方向前側の光強度を移動方向後ろ側の光強度より小さくできれば、これに限定されるものではない。このレーザ光の光軸の傾斜角は、光ディスクＤＫの反射層の材質、レーザ光源２１の出射パワーなどに応じて適宜設定されるものである。なお、図８に示すように、本発明の発明者による実験によれば、レーザ光源２１から出射されるレーザ光の光軸を光ディスクＤＫの記録面の垂直方向に対して０．５°〜２．０°の範囲で傾斜させると良好なメディアＩＤの記録が行えることが判明している。なお、図８は、横軸にレーザ光源２１から出射されるレーザ光の光軸の光ディスクＤＫの記録面の垂直方向に対する傾斜角を示しており、縦軸にＢＣＡから再生される再生信号の品質を示している。
【００４３】
また、上記実施形態においては、レーザ光源２１から出射されるレーザ光の光軸を傾斜させて光スポットにおける移動方向前側の光強度を移動方向後ろ側の光強度より小さくしたが、これに限定されるものではない。例えば、レーザ光源２１から出射されるレーザ光による光スポットの光強度分布を規定できる光学素子または光学装置を用いて同光スポットにおける移動方向前側の光強度を移動方向後ろ側の光強度より小さくしてもよい。
【００４４】
また、上記実施形態においては、レーザ光源２１から出射されるレーザ光の光軸を傾斜させるために光ピックアップ２０を傾斜させて構成したが、同レーザ光の光軸を傾斜させることができれば、これに限定されるものではない。例えば、光ピックアップ２０内の光学素子、例えば、レーザ光源２１、対物レンズ２６などを傾斜させるように構成してもよいし、光ディスクＤＫをレーザ光源２１から出射されるレーザ光の光軸に対して傾斜させる構成にしてもよい。
【図面の簡単な説明】
【００４５】
【図１】本発明の一実施形態に係るメディアＩＤ記録装置の全体を概略的に示すブロック図である。
【図２】（Ａ）は光ディスクのＢＣＡを示す光ディスクの上面図であり、（Ｂ）はバーコードによって表されたメディアＩＤの記録状態をＢＣＡを直線状に表して示した説明図である。
【図３】（Ａ）は本発明の一実施形態におけるレーザ光の光軸と光ディスクとの関係を示す説明図であり、（Ｂ）は本発明の一実施形態における光スポットの光強度分布を示す説明図である。
【図４】光ディスクにバーコードのバー部を記録する際の光スポットおよび光スポットの光強度分布の状態を示す説明図である。
【図５】（Ａ），（Ｂ）は本発明の一実施形態における光ディスクの記録面に光スポットが形成された際の反射層の溶融状態を説明するための説明図である。
【図６】（Ａ）〜（Ｃ）は、レーザ光の光軸の傾斜角に対する再生信号の状態を説明するための説明図である。
【図７】（Ａ）はレーザ光の光軸を傾けない場合における再生信号を複数重ねて示した波形図であり、（Ｂ）はレーザ光の光軸を傾けた場合における再生信号を複数重ねて示した波形図である。
【図８】レーザ光の光軸の傾斜角に対する再生信号の品質を示した図である。
【図９】（Ａ）は従来例におけるレーザ光の光軸と光ディスクとの関係を示す説明図であり、（Ｂ）は従来例における光スポットの光強度分布を示す説明図である。
【図１０】（Ａ），（Ｂ）は従来例における光ディスクの記録面に光スポットが形成された際の反射層の溶融状態を説明するための説明図である。
【符号の説明】
【００４６】
ＤＫ…光ディスク、１０…回転駆動装置、１１…スピンドルモータ、１２…フィードモータ、１４…スピンドルモータ制御回路、１７…フィードモータ制御回路、２０…光ピックアップ、２１…レーザ光源、２６…対物レンズ、２９…フォトディテクタ、３２…支持台、３３…スペーサ、５２…記録用信号生成回路、５３…データ変換回路、６０…コントローラ。
【図１】
2007035087.tif 000003
【図２】
2007035087.tif 000004
【図３】
2007035087.tif 000005
【図４】
2007035087.tif 000006
【図５】
2007035087.tif 000007
【図６】
2007035087.tif 000008
【図７】
2007035087.tif 000009
【図８】
2007035087.tif 000010
【図９】
2007035087.tif 000011
【図１０】
2007035087.tif 000012